(57)【要約】【課題】ケーシングからタンクを取り外して持ち運ぶ動作を、ユーザーが容易に行えるタンク、及び除湿機を提供する。【解決手段】除湿機１００は、タンク４と、ケーシング１とを備える。ケーシング１は、タンク４を着脱自在に格納する。タンク４は、容器部４１と、把手部４２と、支持機構６とを有する。容器部４１は、水を貯留する。把手部４は、容器部４１に設けられる。支持機構６は、容器部４１に対して把手部４を回転可能かつスライド可能に支持する。【選択図】図４
2020127917.tif 000002
【特許請求の範囲】
【請求項１】
タンクと、前記タンクを着脱自在に格納するケーシングとを備え、
前記タンクは、
水を貯留する容器部と、
前記容器部に設けられる把手部と、
前記容器部に対して前記把手部を回転可能かつスライド可能に支持する支持機構と
を有する、除湿機。
【請求項２】
前記支持機構は、
前記把手部を回転可能に支持する第１支持部材と、
前記第１支持部材に対して前記把手部をスライド可能に支持する第２支持部材と、
前記容器部に対して前記第１支持部材をスライド可能に支持する第３支持部材と
を有する、請求項１に記載の除湿機。
【請求項３】
前記第１支持部材は、軸部材を有し、
前記第２支持部材は、前記把手部に形成され、前記軸部材が挿入される長孔部を有し、
前記第３支持部材は、前記容器部に形成され、前記軸部材が係合するレール部材を有する、請求項２に記載の除湿機。
【請求項４】
前記長孔部は、前記把手部の先端側に位置する先端部と、前記把手部の基端側に位置する基端部とを有し、
前記レール部材は、前記レール部材の上端に位置する上端部と、前記レール部材の下端に位置する下端部とを有し、
前記支持機構は、前記把手部の状態を格納状態、及び持運び状態のいずれかの状態に切り換え、
前記格納状態は、前記軸部材が前記長孔部の前記基端部に位置すると共に前記レール部材の前記下端部に位置し、かつ、長孔方向がレール方向に対して垂直な状態であり、
前記持運び状態は、前記軸部材が前記長孔部の前記先端部に位置すると共に前記レール部材の前記上端部に位置し、かつ、前記長孔方向が前記レール方向に対して平行な状態であり、
前記長孔方向は、前記長孔部の延びる方向を示し、
前記レール方向は、前記レール部材の延びる方向を示す、請求項３に記載の除湿機。
【請求項５】
前記支持機構は、
前記把手部が前記持運び状態のとき、前記長孔方向と前記レール方向との成す角度が、０°よりも小さくなることを規制する第１規制機構をさらに備える、請求項４に記載の除湿機。
【請求項６】
前記支持機構は、
前記把手部が前記持運び状態のとき、前記軸部材が下方へスライドすることを規制する第２規制機構をさらに備える、請求項４又は請求項５に記載の除湿機。
【請求項７】
前記タンクは、前記容器部に貯留される水を前記容器部の外部に排出する排水機構をさらに有し、
前記容器部は、底部と、前記底部から立ち上がる壁部とを有し、
前記壁部の下部には、
前記容器部の内部と外部とを連通する排水孔が形成され、
前記排水機構は、
前記排水孔を開閉する栓部材と、
前記栓部材が固定される開閉部材と、
前記開閉部材を第１位置と第２位置との間で移動可能に支持する支持部と
を有し、
前記第１位置は、前記栓部材が前記排水孔を閉塞する位置を示し、
前記第２位置は、前記栓部材が前記排水孔を開放する位置を示す、請求項１から請求項６のいずれか１項に記載の除湿機。
【発明の詳細な説明】
【技術分野】
【０００１】
本発明は、タンク、及び除湿機に関する。
【背景技術】
【０００２】
貯水タンクが着脱可能に格納される除湿装置が特許文献１に開示されている。特許文献１に記載の貯水タンクは、除湿装置の本体に格納される。特許文献１に記載の貯水タンクは、タンク部と、タンク蓋とを備える。タンク蓋は、タンク部の上方開放部を覆う。タンク部は、軸受支柱と、軸受穴部と、取手部とを有する。軸受支柱は、タンク部の底部から立設する。軸受穴部は、軸受支柱の上端に設けられる。取手部は、軸受穴部に軸支される。タンク蓋の表面には、取手部を倒して収納する収納部が設けられる。
【先行技術文献】
【特許文献】
【０００３】
【特許文献１】特開２００７−２５３１３８号公報
【発明の概要】
【発明が解決しようとする課題】
【０００４】
しかし、ユーザーが除湿装置の本体（ケーシング）から貯水タンク（タンク）を取り外して持ち運ぶ際、まず、貯水タンクの後部を把持して本体から貯水タンクを引き出した後、取手部を把持しなければならなかった。従って、ユーザーは、把持する場所を貯水タンクの後部から取手部に変更しなければならず、煩雑であった。
【０００５】
本発明は、ケーシングからタンクを取り外して持ち運ぶ動作を、ユーザーが容易に行えるタンク、及び除湿機を提供することを目的とする。
【課題を解決するための手段】
【０００６】
本願の第１局面によれば、除湿機は、タンクと、ケーシングとを備える。ケーシングは、前記タンクを着脱自在に格納する。前記タンクは、容器部と、把手部と、支持機構とを有する。容器部は、水を貯留する。把手部は、前記容器部に設けられる。支持機構は、前記容器部に対して前記把手部を回転可能かつスライド可能に支持する。
【発明の効果】
【０００７】
本発明のタンク、及び除湿機によれば、ケーシングからタンクを取り外して持ち運ぶ動作を、ユーザーが容易に行うことができる。
【図面の簡単な説明】
【０００８】
【図１】本発明の第１実施形態に係る除湿機を前方から見た斜視図である。
【図２】本発明の第１実施形態に係る除湿機を後方から見た斜視図である。
【図３】ケーシングの内部を示す模式図である。
【図４】タンクを示す斜視図である。
【図５】（ａ）は、軸部材の第１斜視図である。（ｂ）は、軸部材の第２斜視図である。
【図６】（ａ）は、把手部を示す斜視図である。（ｂ）は、長孔部を示す斜視図である。
【図７】レール部材を示す斜視図である。
【図８】格納状態の把手部を示す図である。
【図９】引出状態の把手部を示す第１図である。
【図１０】引出状態の把手部を示す第２図である。
【図１１】引出状態の把手部を示す第３図である。
【図１２】引出状態の把手部の一部拡大図である。
【図１３】持上げ状態の把手部を示す図である。
【図１４】持運び状態の把手部を示す図である。
【図１５】持運び状態の把手部の一部拡大図である。
【図１６】（ａ）は、第１規制機構を示す第１模式図である。（ｂ）は、第１規制機構を示す第２模式図である。
【図１７】第２規制機構を示す模式図である。
【図１８】タンクを上方から見た図である。
【図１９】タンクの断面図である。
【図２０】第２位置に位置する開閉部材１３ａを示す図である。
【図２１】（ａ）は、保持機構により開閉部材の位置が第２位置に保持されていない状態を示す図である。（ｂ）は、保持機構により開閉部材の位置が第２位置に保持されている状態を示す図である。
【発明を実施するための形態】
【０００９】
本発明の実施形態について、図面を参照しながら説明する。なお、図中、同一又は相当部分については同一の参照符号を付して説明を繰り返さない。
【００１０】
［第１実施形態］
図１及び図２を参照して、本発明の第１実施形態に係る除湿機１００について説明する。図１は、本発明の第１実施形態に係る除湿機１００を前方から見た斜視図である。図２は、本発明の第１実施形態に係る除湿機１００を後方から見た斜視図である。
【００１１】
図１及び図２に示すように、除湿機１００は、ケーシング１と、カバー部材２ａと、タンク４と、操作部５とを備える。
【００１２】
ケーシング１は、中空の部材である。ケーシング１には、吹出口２と、吸込口３とが形成される。
【００１３】
吹出口２は、ケーシング１の前面に形成される。吹出口２は、ケーシング１の内部と外部とを連通する。吹出口２は、ケーシング１の内部の空気をケーシング１の外部に放出する。吹出口２は、ケーシング１に形成されていればよく、ケーシング１の前面以外の場所に位置していてもよい。
【００１４】
カバー部材２ａは、略板状の部材である。図１において、カバー部材２ａは、吹出口２を覆っている。カバー部材２ａは、ケーシング１に回転可能に取り付けられる。カバー部材２ａは、回転角度を変更することで、吹出口２から放出される空気の流れる方向を、カバー部材２ａの回転角度に応じた方向に規定する風向板として機能する。
【００１５】
吸込口３は、ケーシング１の後面に形成される。吸込口３は、ケーシング１の内部と外部とを連通する。吸込口３は、ケーシング１の外部の空気をケーシング１の内部に流入させる。吸込口３は、ケーシング１に形成されていればよく、ケーシング１の後面以外の場所に位置していてもよい。
【００１６】
タンク４は、ケーシング１に着脱自在に格納される。タンク４は、除湿機１００によって生成された水を貯留する。
【００１７】
操作部５は、ケーシング１の上部に設けられる。操作部５は、外部からの指示を受け付ける。
【００１８】
図３を参照して、除湿機１００についてさらに説明する。図３は、ケーシング１の内部を示す模式図である。
【００１９】
除湿機１００は、除湿部１４と、ファン１５と、ドレンパン１６とをさらに備える。
【００２０】
除湿部１４、ファン１５、及びドレンパン１６は、ケーシング１の内部に配置される。
【００２１】
除湿部１４は、空気を除湿することで水を生成する。除湿部１４は、例えば、冷却部を含む。冷却部は、空気を冷やすことで、空気中の水蒸気を結露させる。その結果、空気が除湿されると共に、水が生成される。なお、本発明の除湿部は、空気を除湿することで水を生成する構造を有していればよく、第１実施形態の除湿部１４に限定されない。
【００２２】
ファン１５は、吸込口３、除湿部１４、及び吹出口２の順番に空気を送風する。
【００２３】
ケーシング１の外部の空気は、ファン１５により吸込口３を介して除湿部１４に供給される。除湿部１４に供給された空気は、除湿部１４により除湿される。除湿された空気は、吹出口２を介してケーシング１の外部に排出される。
【００２４】
ドレンパン１６は、除湿部１４で生成された水を回収する。ドレンパン１６は、除湿部１４の下方に配置される。ドレンパン１６には除湿部１４で生成された水が滴下する。
【００２５】
ドレンパン１６には、ドレン口１７が形成される。ドレン口１７は、ドレンパン１６の底部に形成される。ドレン口１７は、ドレンパン１６の内部と外部とを連通する筒状の部材である。ドレン口１７は、ドレンパン１６が回収した水をドレンパン１６の外部に排出する。
【００２６】
ドレン口１７の下方には、タンク４が配置される。ドレン口１７から排出された水は、タンク４に滴下する。
【００２７】
次に、図４〜図７を参照して、タンク４について説明する。図４は、タンク４を示す斜視図である。
【００２８】
図４〜図７において、上下方向は鉛直方向に対して平行な方向である。上下方向は、本発明のレール方向の一例である。図４〜図７において、左右方向は、上下方向に対して垂直な方向である。左右方向は、本発明のレール方向に対して垂直な方向の一例である。図４〜図７において、前後方向は、上下方向及び左右方向の各々に対して垂直な方向である。
【００２９】
図４に示すように、タンク４は、容器部４１と、把手部４２と、支持機構６とを有する。
【００３０】
容器部４１は、水を貯留する。容器部４１は、中空の略角柱形状を有する。容器部４１は、底部４１ａと、第１側部４１ｂと、第２側部４１ｃと、第３側部４１ｄと、第４側部４１ｅとを有する。底部４１ａと、第１側部４１ｂ〜第４側部４１ｅとは、略板状の部材である。第１側部４１ｂ〜第４側部４１ｅは、底部４１ａの縁部から立ち上がる。第１側部４１ｂは、第３側部４１ｄと対向する。第２側部４１ｃは、第４側部４１ｅと対向する。第１側部４１ｂ〜第４側部４１ｅは、第１側部４１ｂ、第２側部４１ｃ、第３側部４１ｄ、第４側部４１ｅ、及び第１側部４１ｂの順番に連なる。容器部４１の上端には、開口部４１ｆが形成される。開口部４１ｆは、容器部４１の内部４１ｇに通じる。容器部４１の内部４１ｇは、底部４１ａと、第１側部４１ｂ〜第４側部４１ｅとで囲まれた空間である。
【００３１】
第１側部４１ｂは、外面４１１を有する。外面４１１は、容器部４１の内部４１ｇと背向し、左右方向に対して平行な面である。
【００３２】
把手部４２は、容器部４１に設けられ、タンク４の持ち運び時に用いられる把手である。
【００３３】
支持機構６は、容器部４１に対して把手部４２を回転可能かつスライド可能に支持する。支持機構６は、軸部材７と、長孔部８と、レール部材９とを有する。
【００３４】
次に、図４〜図５（ｂ）を参照して、軸部材７について説明する。図５（ａ）は、軸部材７の第１斜視図である。図５（ｂ）は、軸部材７の第２斜視図である。図５（ｂ）に示す軸部材７は、図５（ａ）に示す軸部材７の裏側を示す。軸部材７は、本発明の第１支持部材の一例である。
【００３５】
図４〜図５（ｂ）に示すように、軸部材７は、把手部４２を回転可能に支持する。軸部材７は、第１部材７１と、第２部材７２と、第３部材７３と、第４部材７４とを有する。
【００３６】
第１部材７１〜第４部材７４は、略板状に形成される。第１部材７１〜第４部材７４は、第１部材７１、第２部材７２、第３部材７３、及び第４部材７４の順番に配置される。第１部材７１〜第４部材７４のうち、隣り合う部材同士が互いに固定される。
【００３７】
第１部材７１は、第１突出部７１ａと、第２突出部７１ｂとを有する。第１突出部７１ａは、第１部材７１のうちの左端に位置する部分であり、第２部材７２よりも左方へ突出する。第２突出部７１ｂは、第１部材７１のうちの上端に位置する部分であり、第２部材７２よりも上方へ突出する。
【００３８】
第２部材７２は、対向部７２ｂを有する。対向部７２ｂは、第２部材７２のうちの左端に位置する部分であり、第３部材７３よりも左方へ突出する。
【００３９】
第４部材７４は、第３突出部７４ａを有する。第３突出部７４ａは、第４部材７４のうちの左端に位置する部分であり、第３部材７３よりも左方へ突出する。第３突出部７４ａは、第２部材７２の対向部７２ｂと対向する。
【００４０】
次に、図４、及び図６（ａ）を参照して、把手部４２について説明する。図６（ａ）は、把手部４２を示す斜視図である。
【００４１】
図４及び図６（ａ）に示すように、把手部４２は、略門形状に形成される。把手部４２は、第１ロッド部４２ａと、一対の第２ロッド部４２ｂと、先端４２１と、基端４２２とを有する。
【００４２】
第１ロッド部４２ａと、一対の第２ロッド部４２ｂとは、略棒状に形成される。第１ロッド部４２ａは、前後方向に沿って延びる。一対の第２ロッド部４２ｂのうちの１つは、第１ロッド部４２ａの後端に連なり、第１ロッド部４２ａの後端から第１ロッド部４２ａに対して略垂直に延びる。一対の第２ロッド部４２ｂのうちの他の１つは、第１ロッド部４２ａの前端に連なり、第１ロッド部４２ａの前端から第１ロッド部４２ａに対して略垂直に延びる。一対の第２ロッド部４２ｂは、互いに平行である。
【００４３】
第１ロッド部４２ａは、把手部４２のうち手で把持される部分である。ユーザーは、第１ロッド部４２ａを把持して、把手部４２を操作する。第２ロッド部４２ｂは、把手部４２のうち支持機構６を介して容器部４１に取り付けられる部分である。
【００４４】
一対の第２ロッド部４２ｂの間には、容器部４１が存在する。一対の第２ロッド部４２ｂのうちの１つは、容器部４１の第１側部４１ｂに対向する。一対の第２ロッド部４２ｂのうちの他の１つは、容器部４１の第３側部４１ｄに対向する。
【００４５】
先端４２１は、第２ロッド部４２ｂの先端である。基端４２２は、第１ロッド部４２ａと第２ロッド部４２ｂとが連なる箇所である。
【００４６】
次に、図４、図６（ａ）、及び図６（ｂ）を参照して、長孔部８について説明する。図６（ｂ）は、長孔部８を示す斜視図である。長孔部８は、本発明の第２支持部材の一例である。
【００４７】
図４、図６（ａ）、及び図６（ｂ）に示すように、長孔部８は、軸部材７に対して把手部４２をスライド可能に支持する。長孔部８は、一対の第２ロッド部４２ｂの各々に形成される。
【００４８】
長孔部８は、第２ロッド部４２ｂを前後方向に貫通する。長孔部８は、第２ロッド部４２ｂと同じ方向に延びる。
【００４９】
以下では、長孔部８の延びる方向を長孔方向Ｙと記載することがある。
【００５０】
長孔部８は、先端部８ａと、基端部８ｂと、切欠き８ｃとを有する。
【００５１】
先端部８ａは、把手部４２の先端４２１側に位置する長孔部８の端部である。
【００５２】
基端部８ｂは、把手部４２の基端４２２側に位置する長孔部８の端部である。
【００５３】
切欠き８ｃは、先端部８ａと基端部８ｂとの間に形成される。
【００５４】
次に、図４及び図７を参照して、レール部材９について説明する。図７は、レール部材９を示す斜視図である。レール部材９は、本発明の第３支持部材の一例である。
【００５５】
図４及び図７に示すように、レール部材９は、容器部４１に対して軸部材７をスライド可能に支持する。また、レール部材９は、容器部４１に対して軸部材７を回転不能に支持する。従って、レール部材９は、容器部４１に対して回転しない。
【００５６】
レール部材９は、第１側部４１ｂと、第３側部４１ｄとにそれぞれ形成される。
【００５７】
第１側部４１ｂに形成されるレール部材９は、第３側部４１ｄに形成されるレール部材９と同じ構造を有する。以下では、第１側部４１ｂに形成されるレール部材９に着目して説明し、第３側部４１ｄに形成されるレール部材９の説明は省略する。
【００５８】
レール部材９は、第１側部４１ｂの外面４１１に形成される。レール部材９は、略矩形状に形成される。レール部材９は、上部９ａと、下部９ｂと、第１案内部９ｃと、第２案内部９ｄとを有する。
【００５９】
上部９ａ及び下部９ｂの各々は、左右方向に沿って延びる。上部９ａと下部９ｂとは、上下方向に沿って互いに間隔を空けて配置される。
【００６０】
第１案内部９ｃ及び第２案内部９ｄの各々は、上下方向に沿って延びる。第１案内部９ｃと第２案内部９ｄとは、左右方向に沿って互いに間隔を空けて配置される。
【００６１】
第１案内部９ｃ及び第２案内部９ｄの各々は、上部９ａと下部９ｂとの間に位置する。第１案内部９ｃは、上部９ａの右端に連なると共に、下部９ｂの右端に連なる。第２案内部９ｄは、上部９ａの左端に連なると共に、下部９ｂの左端に連なる。
【００６２】
上部９ａ、下部９ｂ、及び第１案内部９ｃの各々は、外面４１１から突出する。第２案内部９ｄと外面４１１との間には隙間が形成される。第２案内部９ｄには、切欠き９１が形成される。
【００６３】
レール部材９は、スライド空間９２を形成する。スライド空間９２は、軸部材７がスライド可能な空間である。スライド空間９２は、上部９ａ、下部９ｂ、第１案内部９ｃ、及び第２案内部９ｄで囲まれた空間である。スライド空間９２は上下方向に沿って延びる。
【００６４】
レール部材９は、上端部９２１と、下端部９２２とを有する。上端部９２１は、レール部材９の上端に位置する部分であり、詳細には、スライド空間９２の上端部を示す。下端部９２２は、レール部材９の下端に位置する部分であり、詳細には、スライド空間９２の下端部を示す。
【００６５】
次に、図４〜図７を参照して、支持機構６の取り付け構造について説明する。支持機構６の取り付け構造は、軸部材７とレール部材９との取り付け構造と、軸部材７と把手部４２との取り付け構造とで構成される。
【００６６】
軸部材７とレール部材９との取り付け構造について説明する。
【００６７】
図４、図５（ａ）、図５（ｂ）、及び図７に示すように、レール部材９の切欠き９１に軸部材７の第３突出部７４ａが挿入されることによって、軸部材７がレール部材９に取り付けられる。
【００６８】
軸部材７の第３部材７３は、スライド空間９２に配置される。対向部７２ｂと第３突出部７４ａとは、第２案内部９ｄを挟持する。軸部材７は、上下方向に沿ってスライド空間９２をスライドする。
【００６９】
軸部材７と把手部４２との取り付け構造について説明する。
【００７０】
図４〜図７に示すように、長孔部８の切欠き８ｃに軸部材７の第２突出部７１ｂが挿入されることによって、把手部４２が軸部材７に取り付けられる。
【００７１】
軸部材７の第２部材７２は、長孔部８内に配置される。第１部材７１の第１突出部７１ａ又は第２突出部７１ｂと、レール部材９とは、把手部４２を挟持する。把手部４２は、軸部材７を中心に回転する。また、把手部４２は、長孔方向Ｙに沿ってスライドする。把手部４２が長孔方向Ｙに沿ってスライドする際、軸部材７が長孔部８を摺動する。また、把手部４２は、上下方向に沿ってスライドする。把手部４２が上下方向に沿ってスライドする際、軸部材７がレール部材９を摺動する。
【００７２】
次に、図８〜図１５を参照して、把手部４２の状態について説明する。支持機構６は、把手部４２の状態を、格納状態Ｊ１、引出状態Ｊ２、持上げ状態Ｊ３、及び持運び状態Ｊ４のうちのいずれかの状態に切り替える。
【００７３】
図８は、格納状態Ｊ１の把手部４２を示す図である。
【００７４】
図８に示すように、格納状態Ｊ１は、タンク４がケーシング１に格納されるときの把手部４２の状態である。
【００７５】
ケーシング１の左部には開口１ａが形成される。タンク４は、開口１ａを介してケーシング１の内部に格納される。把手部４２が格納状態Ｊ１のとき、把手部４２の第１ロッド部４２ａが、容器部４１の側方に位置し、容器部４１に近接している。
【００７６】
把手部４２が格納状態Ｊ１のとき、把手部４２の第１ロッド部４２ａが、容器部４１の左側に位置しており、ケーシング１（開口部１ａ）から左側に露出している。その結果、ユーザーは、把手部４２の第１ロッド部４２ａを把持して、ケーシング１からタンク４を引き出すことができる。なお、第１実施形態では、タンク４はケーシング１の左部に格納されるが、本発明はこれに限定されない。ケーシング１のうちタンク４が格納される場所は、特に限定されない。タンク４は、ケーシング１の右部に格納されてもよい。この場合、把手部４２の第１ロッド部４２ａが容器部４１の右側に位置するように、タンクが図４に示す状態から１８０°回転した姿勢でケーシング１に格納される。その結果、把手部４２が格納状態Ｊ１のとき、把手部４２の第１ロッド部４２ａが、ケーシング１の右部に形成される開口部から右側に露出している。また、タンク４は、ケーシング１の前部に格納されてもよい。この場合、把手部４２の第１ロッド部４２ａが容器部４１の前側に位置するように、タンクが図４に示す状態から９０°回転した姿勢でケーシング１に格納される。その結果、把手部４２が格納状態Ｊ１のとき、把手部４２の第１ロッド部４２ａが、ケーシング１の前部に形成される開口部から前側に露出している。また、タンク４は、ケーシング１の後部に格納されてもよい。この場合、把手部４２の第１ロッド部４２ａが容器部４１の後側に位置するように、タンクが図４に示す状態から９０°回転した姿勢でケーシング１に格納される。その結果、把手部４２が格納状態Ｊ１のとき、把手部４２の第１ロッド部４２ａが、ケーシング１の後部に形成される開口部から後側に露出している。
【００７７】
図６（ｂ）、図７、及び図８に示すように、把手部４２が格納状態Ｊ１のとき、軸部材７が、長孔部８の基端部８ｂに位置すると共に、レール部材９の下端部９２２に位置する。把手部４２が格納状態Ｊ１のとき、長孔方向Ｙが左右方向に沿って延びることで、上下方向に対して垂直になる。
【００７８】
図９〜図１２は、引出状態Ｊ２の把手部４２を示す図である。
【００７９】
図９〜図１２に示すように、引出状態Ｊ２は、タンク４がケーシング１から引き出されるときの把手部４２の状態である。
【００８０】
図６（ｂ）、図７、及び図９〜図１２に示すように、把手部４２が格納状態Ｊ１のとき、把手部４２の第１ロッド部４２ａが、容器部４１の側方に位置し、容器部４１から離間している。把手部４２が引出状態Ｊ２のとき、軸部材７が、長孔部８の先端部８ａに位置すると共に、レール部材９の下端部９２２に位置する。把手部４２が引出状態Ｊ２のとき、長孔方向Ｙが上下方向に対して垂直になる。
【００８１】
図１３は、持上げ状態Ｊ３の把手部４２を示す図である。
【００８２】
図１３に示すように、持上げ状態Ｊ３は、把手部４２が持ち上げられた状態である。
【００８３】
図６（ｂ）、図７、及び図１３に示すように、把手部４２が持上げ状態Ｊ３のとき、把手部４２の第１ロッド部４２ａが、容器部４１の側方に位置し、容器部４１から離間している。把手部４２が持上げ状態Ｊ３のとき、軸部材７が、長孔部８の先端部８ａに位置すると共に、レール部材９の上端部９２１に位置する。把手部４２が持上げ状態Ｊ３のとき、長孔方向Ｙが上下方向に対して垂直になる。
【００８４】
図１４は、持運び状態Ｊ４の把手部４２を示す図である。
【００８５】
図１４に示すように、持運び状態Ｊ４は、タンク４が持ち運ばれるときの把手部４２の状態である。
【００８６】
図６（ｂ）、図７、及び図１４に示すように、把手部４２が持運び状態Ｊ４のとき、把手部４２の第１ロッド部４２ａが容器部４１の上方に位置する。把手部４２が持運び状態Ｊ４のとき、軸部材７が、長孔部８の先端部８ａに位置すると共に、レール部材９の上端部９２１に位置する。把手部４２が持運び状態Ｊ４のとき、長孔方向Ｙが上下方向に対して平行になる。
【００８７】
次に、図８〜図１４を参照して、把手部４２の動作について説明する。図８〜図１４は、ユーザーがケーシング１からタンク４を取り外して持ち運ぶ際の、把手部４２の動作を示す。
【００８８】
図８及び図９に示すように、タンク４がケーシング１に格納された状態で、把手部４２が引っ張られると、軸部材７が長孔部８を摺動することで、把手部４２がスライドする。その結果、把手部４２の状態が格納状態Ｊ１から引出状態Ｊ２に移行する。
【００８９】
図９〜図１２に示すように、把手部４２の状態が格納状態Ｊ１から引出状態Ｊ２に移行した後、把手部４２がさらに引っ張られると、把手部４２の引出状態Ｊ２が保持されつつ、タンク４が移動する。その結果、タンク４が、開口部１ａを介してケーシング１の外部へ引き出される。
【００９０】
図１１及び図１３に示すように、タンク４がケーシング１の外部へ引き出された後、把手部４２が持ち上げられると、軸部材７がレール部材９を摺動することで、把手部４２が上方へスライドする。その結果、把手部４２の状態が引出状態Ｊ２から持上げ状態Ｊ３に移行する。
【００９１】
図１３及び図１４に示すように、把手部４２の状態が引出状態Ｊ２から持上げ状態Ｊ３に移行した後、把手部４２が軸部材７を中心に上側に回転されると、把手部４２が持上げ状態Ｊ３から持運び状態Ｊ４に移行する。
【００９２】
以上、図８〜図１４を参照して説明したように、支持機構６は、容器部４１に対して把手部４２を回転可能かつスライド可能に支持する。従って、図８〜図１４に示すように、ユーザーは、容器部４１に対して把手部４２をスライドさせた後、把手部４２を回転させることによって、タンク４の持ち出し動作を行うことができる。その結果、ユーザーは、タンク４の持ち出し動作を行う際、把手部４２を把持していればよく、タンク４の把持する場所を変更する必要がない。よって、ユーザーは、タンク４の持ち出し動作を容易に行うことができる。なお、タンク４の持ち出し動作は、ユーザーがケーシング１からタンク４を取り外して持ち運ぶ動作を示す。
【００９３】
支持機構６は、第１規制機構１１をさらに有する。
【００９４】
次に、図１２、図１３、及び図１５〜図１６（ｂ）を参照して、第１規制機構１１について説明する。図１５は、持運び状態Ｊ４の把手部４２の一部拡大図である。図１６（ａ）は、第１規制機構１１を示す第１模式図である。図１６（ｂ）は、第１規制機構１１を示す第２模式図である。第１規制機構１１は、把手部４２の回転可能な角度を制限する。
【００９５】
図１２、図１３、及び図１５〜図１６（ｂ）に示すように、第１規制機構１１は、第１係合部１１ａと、第２係合部１１ｂとを有する。
【００９６】
第１係合部１１ａは、軸部材７の第２部材７２に形成される。第１係合部１１ａは、平面である。
【００９７】
第２部材７２には、円弧部７２ａがさらに形成される。円弧部７２ａは、円弧状に形成される曲面である。円弧部７２ａは、第１係合部１１ａに連なる。
【００９８】
第２係合部１１ｂは、長孔部８の先端部８ａに形成される。第２係合部１１ｂは、平面である。
【００９９】
長孔部８の先端部８ａには、円弧部８ｄがさらに形成される。円弧部８ｄは、円弧状に形成される曲面である。円弧部８ｄは、第２係合部１１ｂに連なる。
【０１００】
把手部４２が持上げ状態Ｊ３のとき（図１３参照）、第１係合部１１ａが第２係合部１１ｂと対向しない。第１係合部１１ａが第２係合部１１ｂと対向しない場合、把手部４２は軸部材７を中心に回転することができる。その結果、ユーザーは、把手部４２を回転させることで、把手部４２の状態を持上げ状態Ｊ３から持運び状態Ｊ４に変更することができる。
【０１０１】
把手部４２が持運び状態Ｊ４のとき（図１４及び図１６（ｂ）参照）、第１係合部１１ａが第２係合部１１ｂと対向する。第１係合部１１ａが第２係合部１１ｂと対向する場合、持運び状態Ｊ４の把手部４２が軸部材７を中心に右側へ回転することが規制される。すなわち、第１係合部１１ａが第２係合部１１ｂと対向する場合、角度θが０°よりも小さくなることが規制される。角度θは、長孔方向Ｙと、上下方向（レール部材９の延びる方向）との成す角度である。その結果、ユーザーは、把手部４２の状態を持運び状態Ｊ４に容易に保持することができる。
【０１０２】
また、第１係合部１１ａが第２係合部１１ｂと対向する場合、持運び状態Ｊ４の把手部４２が軸部材７を中心に左側へ回転することが許容される。すなわち第１係合部１１ａが第２係合部１１ｂと対向する場合、角度θが０°よりも大きくなることが許容される。その結果、ユーザーは、把手部４２を左側へ回転させることで、把手部４２の状態を持運び状態Ｊ４から持上げ状態Ｊ３に変更することができる。
【０１０３】
支持機構６は、第２規制機構１２をさらに有する。
【０１０４】
次に、図５（ａ）、図１４、及び図１７を参照して、第２規制機構１２について説明する。図１７は、第２規制機構１２を示す模式図である。第２規制機構１２は、軸部材７のスライドを規制する。
【０１０５】
第２規制機構１２は、突起部１２ａと、凸部１２ｂとを有する。突起部１２ａは、弾性変形する突起である。突起部１２ａは、例えば、樹脂により形成される。突起部１２ａは、レール部材９に固定される。突起部１２ａは、レール部材９のスライド空間９２に配置される。凸部１２ｂは、軸部材７の第３部材７３に形成される。凸部１２ｂは、右方へ突出する。軸部材７がレール部材９をスライドするときの凸部１２ｂの移動経路上には、突起部１２ａが配置される。
【０１０６】
把手部４２が持運び状態Ｊ４になると、凸部１２ｂに対して突起部１２ａが下方から接触する。従って、軸部材７が突起部１２ａにより支持されるので、軸部材７が下方へスライドすることが規制される。その結果、ユーザーは、把手部４２の状態を持運び状態Ｊ４に容易に保持することができる。
【０１０７】
なお、ユーザーは、把手部４２の状態を持上げ状態Ｊ３（図１３参照）から引出状態Ｊ２（図１１参照）に変更する場合、突起部１２ａが弾性変形する程度の力で把手部４２を押し下げればよい。
【０１０８】
［第２実施形態］
図１８〜図２１（ｂ）を参照して、タンク４の第２実施形態について説明する。図１８は、タンク４を上方から見た図である。図１９は、タンク４の断面図である。第２実施形態は、タンク４の容器部４１に収容された水を、容器部４１の外部に排出するための機構をタンク４に設けた点が第１実施形態と異なる。以下では、第１実施形態と異なる点を説明する。
【０１０９】
図１８及び図１９に示すように、容器部４１には、排水孔４ａが形成される。排水孔４ａは、容器部４１の内部と容器部４１の外部とを連通する。排水孔４ａは、第３側部４１ｄに形成される。具体的には、排水孔４ａは、第３側部４１ｄの下部に形成される。第３側部４１ｄは、本発明の壁部の一例である。
【０１１０】
タンク４は、排水機構１３をさらに有する。
【０１１１】
排水機構１３は、開閉部材１３ａと、栓部材１３ｂと、支持部１３ｃとを有する。
【０１１２】
開閉部材１３ａは、棒状の部材である。開閉部材１３ａは、上下方向に延びる。開閉部材１３ａは、上端部１３１と、下端部１３２と、中途部１３３とを有する。上端部１３１は、開閉部材１３ａのうち上端に位置する部分である。上端部１３１は、開口部４１ｆを介して容器部４１の外部へ突出している。上端部１３１は、把手部４２を把持している手の指で操作可能な位置に配置される。下端部１３２は、開閉部材１３ａのうち下端に位置する部分である。下端部１３２は、容器部４１の内部に位置する。中途部１３３は、開閉部材１３ａのうち上下方向の中途部に位置する部分である。中途部１３３は、容器部４１の内部に位置する。
【０１１３】
栓部材１３ｂは、排水孔４ａを閉塞する。栓部材１３ｂは、容器部４１の内部に配置され、容器部４１の内部から排水孔４ａを閉塞する。栓部材１３ｂは、開閉部材１３ａの下端部１３２に固定される。
【０１１４】
開閉部材１３ａが中途部１３３を中心に回転すると、排水孔４ａに対して栓部材１３ｂが近接離間する。
【０１１５】
支持部１３ｃは、開閉部材１３ａを回転可能に支持する。支持部１３ｃは、容器部４１に固定される。支持部１３ｃには、開閉部材１３ａの中途部１３３が回転可能に取り付けられる。支持部１３ｃは、開閉部材１３ａを第１位置Ｅ１と第２位置Ｅ２（図２０参照）との間で移動可能に支持する。
【０１１６】
図１９は、第１位置Ｅ１に位置する開閉部材１３ａを示す。
【０１１７】
図１９に示すように、開閉部材１３ａが第１位置Ｅ１に位置するとき、排水孔４ａが排水孔４ａを閉塞する。その結果、容器部４１から水が漏れることが防止される。
【０１１８】
図２０は、第２位置Ｅ２に位置する開閉部材１３ａを示す図である。
【０１１９】
図２０に示すように、開閉部材１３ａが第２位置Ｅ２に位置するとき、排水孔４ａが排水孔４ａから離間する。その結果、排水孔４ａが開放されて、容器部４１の内部の水が排水孔４ａから容器部４１の外部へ排出される。
【０１２０】
開閉部材１３ａが中途部１３３を中心に回転することで、開閉部材１３ａが第１位置Ｅ１と第２位置Ｅ２との間で移動する。
【０１２１】
図１９及び図２０を参照して、排水機構１３の動作について説明する。
【０１２２】
図１９及び図２０に示すように、ユーザーは開閉部材１３ａの上端部１３１を指で押圧して回転させることで、開閉部材１３ａを第１位置Ｅ１と第２位置Ｅ２との間で移動させる。例えば、把手部４２を把持している手の指で開閉部材１３ａの上端部１３１が操作される。そして、開閉部材１３ａの上端部１３１が操作されることで、開閉部材１３ａが第１位置Ｅ１と第２位置Ｅ２との間で移動する。その結果、ユーザーは、容器部４１を傾けること無く、容器部４１の内部の水を排水できるので、排水作業を容易に行うことができる。また、ユーザーは、片手で容器部４１の内部の水を排水できるので、排水作業を容易に行うことができる。
【０１２３】
ユーザーは、開閉部材１３ａの上端部１３１を第１方向Ｄ１に回転させることで、開閉部材１３ａが第１位置Ｅ１に移動する。第１方向Ｄ１は、上端部１３１が第３側部４１ｄから離間する方向を示す。
【０１２４】
ユーザーは、開閉部材１３ａの上端部１３１を第２方向Ｄ２に回転させることで、開閉部材１３ａが第２位置Ｅ２に移動する。第２方向Ｄ２は、上端部１３１が第３側部４１ｄに近接する方向を示す。
【０１２５】
なお、排水機構１３は、開閉部材１３ａを第１位置Ｅ１に移動する方向に付勢する付勢部材を備えていてもよい。付勢部材は、例えば、バネである。その結果、排水機構１３に外力が加えられない場合、開閉部材１３ａが第１位置Ｅ１に位置する状態が保持されるので、排水孔４ａの閉め忘れを防止できる。
【０１２６】
排水機構１３は、保持機構１３ｄをさらに有する。
【０１２７】
図１９〜図２１（ｂ）を参照して、保持機構１３ｄについてさらに説明する。図２１（ａ）は、保持機構１３ｄにより開閉部材１３ａの位置が第２位置Ｅ２に保持されていない状態を示す図である。図２１（ｂ）は、保持機構１３ｄにより開閉部材１３ａの位置が第２位置Ｅ２に保持されている状態を示す図である。
【０１２８】
図１９〜図２１（ｂ）に示すように、保持機構１３ｄは、開閉部材１３ａが第２位置Ｅ２に位置する状態を保持する。保持機構１３ｄは、例えば、ローラーキャッチのような保持具を用いて、開閉部材１３ａが第２位置Ｅ２に位置する状態を保持する。
【０１２９】
保持機構１３ｄは、例えば、容器部４１に固定される第３係合部１３４と、開閉部材１３ａに固定される第４係合部１３５とを有する。開閉部材１３ａが第１位置Ｅ１に位置するとき、第３係合部１３４が第４係合部１３５に係合しない。その結果、開閉部材１３ａが第４係合部１３５に固定されないので、開閉部材１３ａが回転できる。これに対し、開閉部材１３ａが第２位置Ｅ２に位置するとき、第３係合部１３４が第４係合部１３５に係合する。その結果、開閉部材１３ａが第３係合部１３４と第４係合部１３５とを介して容器部４１に固定されるので、開閉部材１３ａが第２位置Ｅ２に位置する状態が保持される。
【０１３０】
保持機構１３ｄにより開閉部材１３ａが第２位置Ｅ２に位置する状態が保持された状態から、ユーザーが所定以上の力で上端部１３１を第１方向Ｄ１に回転すると、第３係合部１３４と第４係合部１３５との係合が解除される。その結果、開閉部材１３ａが第２位置Ｅ２から第１位置Ｅ１に移動する。
【０１３１】
以上、図１９〜図２１（ｂ）を参照して説明したように、保持機構１３ｄは、開閉部材１３ａが第２位置Ｅ２に位置する状態を保持する。従って、ユーザーは、容器部４１に貯留される水を排水孔４ａから排出する際、開閉部材１３ａが第２位置Ｅ２に位置するように、指で開閉部材１３ａを第２方向Ｄ２に押し続ける必要がない。その結果、ユーザーは、容器部４１に貯留される水を容易に排出することができる。
【０１３２】
以上、図面（図１〜図２１（ｂ））を参照しながら本発明の実施形態について説明した。但し、本発明は、上記の実施形態に限られるものではなく、その要旨を逸脱しない範囲で種々の態様において実施することが可能である（例えば、（１））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１３３】
（１）第２実施形態において、図１９及び図２０に示すように、支持部１３ｃは、開閉部材１３ａを回転可能に支持する。しかし、本発明はこれに限定されない。支持部１３ｃは、開閉部材１３ａをスライド可能に支持してもよい。支持部１３ｃは、例えば、開閉部材１３ａを上下方向に沿ってスライド可能に支持するレール状の部材を備える。レール状の部材は、容器部４１に固定される。レール状の部材には、開閉部材１３ａがスライド可能に係合する。開閉部材１３ａが上下方向に沿ってスライドすることで、開閉部材１３ａが第１位置Ｅ１と第２位置Ｅ２との間で移動する。
【産業上の利用可能性】
【０１３４】
本発明は、タンク、及び除湿機の分野に利用可能である。
【符号の説明】
【０１３５】
１      ケーシング
４      タンク
６      支持機構
４１    容器部
４２    把手部
１００  除湿機
【図１】
2020127917.tif 000003
【図２】
2020127917.tif 000004
【図３】
2020127917.tif 000005
【図４】
2020127917.tif 000006
【図５】
2020127917.tif 000007
【図６】
2020127917.tif 000008
【図７】
2020127917.tif 000009
【図８】
2020127917.tif 000010
【図９】
2020127917.tif 000011
【図１０】
2020127917.tif 000012
【図１１】
2020127917.tif 000013
【図１２】
2020127917.tif 000014
【図１３】
2020127917.tif 000015
【図１４】
2020127917.tif 000016
【図１５】
2020127917.tif 000017
【図１６】
2020127917.tif 000018
【図１７】
2020127917.tif 000019
【図１８】
2020127917.tif 000020
【図１９】
2020127917.tif 000021
【図２０】
2020127917.tif 000022
【図２１】
2020127917.tif 000023